(57)【特許請求の範囲】
【請求項１】
無線基地局が、該無線基地局配下で接続状態にあるリレーノードに対して、第１コネクション解放メッセージを送信する工程Ａと、
前記リレーノードが、前記第１コネクション解放メッセージを受信した場合、該リレーノード配下で接続状態にある移動局に対して、第２コネクション解放メッセージを送信する工程Ｂと、
前記移動局が、前記第２コネクション解放メッセージを受信した場合、アイドル状態に遷移する工程Ｃと、
前記リレーノードが、前記第２コネクション解放メッセージを送信してから所定期間が経過した後に、アイドル状態に遷移する工程Ｄとを有することを特徴とする移動通信方法。
【請求項２】
前記工程Ｂにおいて、前記リレーノードは、第２コネクション解放メッセージを送信した場合に、所定タイマを起動し、
前記工程Ｄにおいて、前記リレーノードは、前記所定タイマが満了した場合に、アイドル状態に遷移することを特徴とする請求項１に記載の移動通信方法。
【請求項３】
リレーノードであって、
前記リレーノードが無線基地局配下で接続状態にある場合で、かつ、該無線基地局から第１コネクション解放メッセージを受信した場合、該リレーノード配下で接続状態にある移動局に対して、第２コネクション解放メッセージを送信するように構成されている送信部と、
前記第２コネクション解放メッセージが送信されてから所定期間が経過した後に、前記リレーノードをアイドル状態に遷移させるように構成されている制御部とを具備することを特徴とするリレーノード。
【請求項４】
前記制御部は、前記第２コネクション解放メッセージが送信された場合に、所定タイマを起動し、該所定タイマが満了した場合に、前記リレーノードをアイドル状態に遷移させるように構成されていることを特徴とする請求項３に記載のリレーノード。
【発明の詳細な説明】
【技術分野】
【０００１】
本発明は、移動通信方法及びリレーノードに関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、無線基地局ＤｅＮＢ（Ｄｏｎｅｒ  ｅＮＢ）に対して、Ｕｎインターフェイスを介して接続可能なリレーノードＲＮ（Ｒｅｌａｙ  Ｎｏｄｅ）を用いることができる。
【先行技術文献】
【非特許文献】
【０００３】
【非特許文献１】３ＧＰＰ  ＴＲ３６.８０６（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；Ｒｅｌａｙ  ａｒｃｈｉｔｅｓｃｕｒｅｓ  ｆｏｒ  Ｅ−ＵＴＲＡ（ＬＴＥ-Ａｄｖａｎｃｅｄ）（Ｒｅｌｅａｓｅ.９）」、２０１０年３月
【非特許文献２】３ＧＰＰ  ＴＳ３６.４１３（Ｖ９.３.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｓ１  ａｐｐｌｉｃａｔｉｏｎ  ｐｒｏｔｏｃｏｌ  （Ｓ１ＡＰ）」、２０１０年６月
【非特許文献３】３ＧＰＰ  ＴＳ３６.３３１（Ｖ９.３.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２０１０年６月
【発明の概要】
【発明が解決しようとする課題】
【０００４】
かかるリレーノードＲＮは、無線基地局ＤｅＮＢ配下において、「ＲＲＣ_ＩＤＬＥ状態」と「ＲＲＣ_ＣＯＮＮＥＣＴＥＤ状態」との間で遷移することができるように構成されている。
【０００５】
また、移動局ＵＥは、リレーノードＲＮ配下において、「ＲＲＣ_ＩＤＬＥ状態」と「ＲＲＣ_ＣＯＮＮＥＣＴＥＤ状態」との間で遷移することができるように構成されている。
【０００６】
しかしながら、ＬＴＥ-Ａｄｖａｎｃｅｄ方式では、無線基地局ＤｅＮＢ配下で「ＲＲＣ_ＣＯＮＮＥＣＴＥＤ状態」にあるリレーノードＲＮが、「ＲＲＣ_ＩＤＬＥ状態」に遷移する際に、移動局ＵＥ向けのアクセス回線（ＲＮ-Ｕｕインターフェイス）における送信を停止するトリガが規定されていないという問題点があった。
【０００７】
そこで、本発明は、上述の課題に鑑みてなされたものであり、無線基地局ＤｅＮＢ配下で「ＲＲＣ_ＣＯＮＮＥＣＴＥＤ状態」にあるリレーノードＲＮが、「ＲＲＣ_ＩＤＬＥ状態」に遷移する際に、遅延なく、リレーノードＲＮ配下で「ＲＲＣ_ＣＯＮＮＥＣＴＥＤ状態」にある移動局ＵＥを「ＲＲＣ_ＩＤＬＥ状態」に遷移させることができる移動通信方法及びリレーノードを提供することを目的とする。
【課題を解決するための手段】
【０００８】
本発明の第１の特徴は、移動通信方法であって、無線基地局が、該無線基地局配下で接続状態にあるリレーノードに対して、第１コネクション解放メッセージを送信する工程Ａと、前記リレーノードが、前記第１コネクション解放メッセージを受信した場合、該リレーノード配下で接続状態にある移動局に対して、第２コネクション解放メッセージを送信する工程Ｂと、前記移動局が、前記第２コネクション解放メッセージを受信した場合、アイドル状態に遷移する工程Ｃと、前記リレーノードが、前記第２コネクション解放メッセージを送信してから所定期間が経過した後に、アイドル状態に遷移する工程Ｄとを有することを要旨とする。
【０００９】
本発明の第２の特徴は、リレーノードであって、前記リレーノードが無線基地局配下で接続状態にある場合で、かつ、該無線基地局から第１コネクション解放メッセージを受信した場合、該リレーノード配下で接続状態にある移動局に対して、第２コネクション解放メッセージを送信するように構成されている送信部と、前記第２コネクション解放メッセージが送信されてから所定期間が経過した後に、前記リレーノードをアイドル状態に遷移させるように構成されている制御部とを具備することを要旨とする。
【発明の効果】
【００１０】
以上説明したように、本発明によれば、無線基地局ＤｅＮＢ配下で「ＲＲＣ_ＣＯＮＮＥＣＴＥＤ状態」にあるリレーノードＲＮが、「ＲＲＣ_ＩＤＬＥ状態」に遷移する際に、遅延なく、リレーノードＲＮ配下で「ＲＲＣ_ＣＯＮＮＥＣＴＥＤ状態」にある移動局ＵＥを「ＲＲＣ_ＩＤＬＥ状態」に遷移させることができる移動通信方法及びリレーノードを提供することができる。
【図面の簡単な説明】
【００１１】
【図１】本発明の第１の実施形態に係る移動通信システムの全体構成図である。
【図２】本発明の第１の実施形態に係るリレーノードの機能ブロック図である。
【図３】本発明の第１の実施形態に係る移動通信システムの動作を示すシーケンス図である。
【図４】本発明の第１の実施形態に係るリレーノードの動作を示すフローチャートである。
【発明を実施するための形態】
【００１２】
（本発明の第１の実施形態に係る移動通信システム）
図１乃至図４を参照して、本発明の第１の実施形態に係る移動通信システムについて説明する。
【００１３】
本実施形態に係る移動通信システムは、ＬＴＥ-Ａｄｖａｎｃｅｄ方式の移動通信システムであって、図１に示すように、無線基地局ＤｅＮＢと、リレーノードＲＮとを具備している。
【００１４】
図２に示すように、リレーノードＲＮは、Ｕｎインターフェイス１１と、ＲＮ-Ｕｕインターフェイス１２と、制御部１３とを具備している。
【００１５】
Ｕｎインターフェイス１１は、無線基地局ＤｅＮＢとの間のインターフェイスの役割を果たすように構成されている。
【００１６】
ＲＮ-Ｕｕインターフェイス１２は、移動局ＵＥとの間のインターフェイスの役割を果たすように構成されている。
【００１７】
制御部１３は、Ｕｎインターフェイス１１を介した無線基地局ＤｅＮＢとの間の信号の送受信、及び、ＲＮ-Ｕｕインターフェイス１２を介した移動局ＵＥとの間の信号の送受信を制御するように構成されている。
【００１８】
また、制御部１３は、無線基地局ＤｅＮＢ配下において、リレーノードＲＮを「ＲＲＣ_ＩＤＬＥ状態」と「ＲＲＣ_ＣＯＮＮＥＣＴＥＤ状態」との間で遷移させるように構成されている。
【００１９】
例えば、リレーノードＲＮが無線基地局ＤｅＮＢ配下で「ＲＲＣ_ＣＯＮＮＥＣＴＥＤ状態」にある場合で、かつ、無線基地局ＤｅＮＢによって送信された「ＲＲＣ  ｃｏｎｎｅｃｔｉｏｎ  ｒｅｌｅａｓｅメッセージ」が受信された場合、制御部１３は、ＲＮ-Ｕｕインターフェイス１２に対して、リレーノードＲＮ配下で「ＲＲＣ_ＣＯＮＮＥＣＴＥＤ状態」にある移動局ＵＥに対して「ＲＲＣ  ｃｏｎｎｅｃｔｉｏｎ  ｒｅｌｅａｓｅメッセージ」を送信するように指示し、ＲＮ-Ｕｕインターフェイス１２によって「ＲＲＣ  ｃｏｎｎｅｃｔｉｏｎ  ｒｅｌｅａｓｅメッセージ」が送信されてから所定期間が経過した後に、リレーノードＲＮを「ＲＲＣ_ＩＤＬＥ状態」に遷移させるように構成されている。
【００２０】
例えば、制御部１３は、ＲＮ-Ｕｕインターフェイス１２によって「ＲＲＣ  ｃｏｎｎｅｃｔｉｏｎ  ｒｅｌｅａｓｅメッセージ」が送信された場合に、所定タイマを起動し、所定タイマが満了した場合に、リレーノードＲＮを「ＲＲＣ_ＩＤＬＥ状態」に遷移させるように構成されていてもよい。
【００２１】
以下、図３を参照して、本発明の第１の実施形態に係る移動通信システムの動作の一例について説明する。
【００２２】
図３に示すように、ステップＳ１００１において、無線基地局ＤｅＮＢは、無線基地局ＤｅＮＢ配下で「ＲＲＣ_ＣＯＮＮＥＣＴＥＤ状態」にあるリレーノードＲＮに対して、「ＲＲＣ  ｃｏｎｎｅｃｔｉｏｎ  ｒｅｌｅａｓｅメッセージ」を送信する。
【００２３】
リレーノードＲＮは、かかる、「ＲＲＣ  ｃｏｎｎｅｃｔｉｏｎ  ｒｅｌｅａｓｅメッセージ」を受信してから時間Ｔ１が経過した後に、ステップＳ１００２において、リレーノードＲＮ配下で「ＲＲＣ_ＣＯＮＮＥＣＴＥＤ状態」にある移動局ＵＥに対して、「ＲＲＣ  ｃｏｎｎｅｃｔｉｏｎ  ｒｅｌｅａｓｅメッセージ」を送信する。
【００２４】
ここで、例えば、時間Ｔ１は、リレーノードＲＮが、Ｕｎインターフェイス１１を介して受信した信号を、ＲＮ-Ｕｕインターフェイス１２を介して送信可能な最短時間であってもよい。
【００２５】
ステップＳ１００３において、移動局ＵＥは、「ＲＲＣ  ｃｏｎｎｅｃｔｉｏｎ  ｒｅｌｅａｓｅメッセージ」を受信すると、「Ｌｅａｖｉｎｇ  ＲＲＣ_ＣＯＮＮＥＣＴＥＤ手順」を実行することによって、「ＲＲＣ_ＩＤＬＥ状態」に遷移する。
【００２６】
一方、リレーノードＲＮは、「ＲＲＣ  ｃｏｎｎｅｃｔｉｏｎ  ｒｅｌｅａｓｅメッセージ」を送信してから時間Ｔ２が経過した後に、「Ｌｅａｖｉｎｇ  ＲＲＣ_ＣＯＮＮＥＣＴＥＤ手順」を実行することによって、「ＲＲＣ_ＩＤＬＥ状態」に遷移する。
【００２７】
ここで、例えば、時間Ｔ２は、所定タイマが起動してから満了するまでの時間であってもよい。
【００２８】
次に、図４を参照して、本発明の第１の実施形態に係るリレーノードＲＮの動作の一例について説明する。
【００２９】
図４に示すように、無線基地局ＤｅＮＢ配下で「ＲＲＣ_ＣＯＮＮＥＣＴＥＤ状態」にあるリレーノードＲＮは、ステップＳ１０１において、無線基地局ＤｅＮＢから「ＲＲＣ  ｃｏｎｎｅｃｔｉｏｎ  ｒｅｌｅａｓｅメッセージ」を受信すると、ステップＳ１０２において、リレーノードＲＮ配下で「ＲＲＣ_ＣＯＮＮＥＣＴＥＤ状態」にある移動局ＵＥが存在するか否かについて判定する。
【００３０】
「ＹＥＳ」の場合、本動作は、ステップＳ１０３に進み、「ＮＯ」の場合、本動作は、ステップＳ１０４に進む。
【００３１】
ステップＳ１０３において、リレーノードＲＮは、「ＲＲＣ  ｃｏｎｎｅｃｔｉｏｎ  ｒｅｌｅａｓｅメッセージ」を受信してから時間Ｔ１が経過した後に、リレーノードＲＮ配下で「ＲＲＣ_ＣＯＮＮＥＣＴＥＤ状態」にある移動局ＵＥに対して、「ＲＲＣ  ｃｏｎｎｅｃｔｉｏｎ  ｒｅｌｅａｓｅメッセージ」を送信する。
【００３２】
ステップＳ１０４において、リレーノードＲＮは、「ＲＲＣ  ｃｏｎｎｅｃｔｉｏｎ  ｒｅｌｅａｓｅメッセージ」を送信してから時間Ｔ２が経過した後に、「Ｌｅａｖｉｎｇ  ＲＲＣ_ＣＯＮＮＥＣＴＥＤ手順」を実行することによって、「ＲＲＣ_ＩＤＬＥ状態」に遷移する。
【００３３】
ただし、ステップＳ１０２において「ＮＯ」と判定された場合、ステップＳ１０４において、リレーノードＲＮは、「ＲＲＣ  ｃｏｎｎｅｃｔｉｏｎ  ｒｅｌｅａｓｅメッセージ」を送信してから時間Ｔ１が経過した後に、「Ｌｅａｖｉｎｇ  ＲＲＣ_ＣＯＮＮＥＣＴＥＤ手順」を実行することによって、「ＲＲＣ_ＩＤＬＥ状態」に遷移してもよい。
【００３４】
ここで、無線基地局ＤｅＮＢ配下で「ＲＲＣ_ＣＯＮＮＥＣＴＥＤ状態」にあるリレーノードＲＮが、無線基地局ＤｅＮＢから「ＲＲＣ  ｃｏｎｎｅｃｔｉｏｎ  ｒｅｌｅａｓｅメッセージ」を受信した場合に、即座に、ＲＮ-Ｕｕインターフェイスにおける送信を停止すると、リレーノードＲＮ配下で「ＲＲＣ_ＣＯＮＮＥＣＴＥＤ状態」にある移動局ＵＥは、ＲＬＦ（Ｒａｄｉｏ  Ｌｉｎｋ  Ｆａｉｌｕｒｅ）を検出してしまうため、「ＲＲＣ_ＩＤＬＥ状態」に遷移するまでに時間がかかってしまう可能性があった。
【００３５】
これに対して、本実施形態に係る移動通信システムでは、無線基地局ＤｅＮＢ配下で「ＲＲＣ_ＣＯＮＮＥＣＴＥＤ状態」にあるリレーノードＲＮは、無線基地局ＤｅＮＢから「ＲＲＣ  ｃｏｎｎｅｃｔｉｏｎ  ｒｅｌｅａｓｅメッセージ」を受信した場合に、リレーノードＲＮ配下で「ＲＲＣ_ＣＯＮＮＥＣＴＥＤ状態」にある移動局ＵＥを「ＲＲＣ_ＩＤＬＥ状態」に遷移させた後に、「ＲＲＣ_ＩＤＬＥ状態」に遷移するように構成されている。
【００３６】
したがって、本実施形態に係る移動通信システムによれば、リレーノードＲＮ配下で「ＲＲＣ_ＣＯＮＮＥＣＴＥＤ状態」にある移動局ＵＥが「ＲＲＣ_ＩＤＬＥ状態」に遷移するまでに時間を短縮することができる。
【００３７】
以上に述べた本実施形態の特徴は、以下のように表現されていてもよい。
【００３８】
本実施形態の第１の特徴は、移動通信方法であって、無線基地局ＤｅＮＢが、無線基地局ＤｅＮＢ配下で「ＲＲＣ_ＣＯＮＮＥＣＴＥＤ状態（接続状態）」にあるリレーノードＲＮに対して、「ＲＲＣ  ｃｏｎｎｅｃｔｉｏｎ  ｒｅｌｅａｓｅメッセージ（第１コネクション解放メッセージ）」を送信する工程Ａと、リレーノードＲＮが、「ＲＲＣ  ｃｏｎｎｅｃｔｉｏｎ  ｒｅｌｅａｓｅメッセージ」を受信した場合、リレーノードＲＮ配下で「ＲＲＣ_ＣＯＮＮＥＣＴＥＤ状態」にある移動局ＵＥに対して、「ＲＲＣ  ｃｏｎｎｅｃｔｉｏｎ  ｒｅｌｅａｓｅメッセージ（第２コネクション解放メッセージ）」を送信する工程Ｂと、移動局ＵＥが、「ＲＲＣ  ｃｏｎｎｅｃｔｉｏｎ  ｒｅｌｅａｓｅメッセージ」を受信した場合、「ＲＲＣ_ＩＤＬＥ状態（アイドル状態）」に遷移する工程Ｃと、リレーノードＲＮが、「ＲＲＣ  ｃｏｎｎｅｃｔｉｏｎ  ｒｅｌｅａｓｅメッセージ」を送信してから所定時間Ｔ２が経過した後に、「ＲＲＣ_ＩＤＬＥ状態」に遷移する工程Ｄとを有することを要旨とする。
【００３９】
本実施形態の第１の特徴において、工程Ｂにおいて、リレーノードＲＮは、「ＲＲＣ  ｃｏｎｎｅｃｔｉｏｎ  ｒｅｌｅａｓｅメッセージ」を送信した場合に、所定タイマを起動し、工程Ｄにおいて、リレーノードＲＮは、所定タイマが満了した場合に、「ＲＲＣ_ＩＤＬＥ状態」に遷移してもよい。
【００４０】
本実施形態の第２の特徴は、リレーノードＲＮであって、リレーノードＲＮが無線基地局ＤｅＮＢ配下で「ＲＲＣ_ＣＯＮＮＥＣＴＥＤ状態」にある場合で、かつ、無線基地局ＤｅＮＢから「ＲＲＣ  ｃｏｎｎｅｃｔｉｏｎ  ｒｅｌｅａｓｅメッセージ」を受信した場合、リレーノードＲＮ配下で「ＲＲＣ_ＣＯＮＮＥＣＴＥＤ状態」にある移動局ＵＥに対して、「ＲＲＣ  ｃｏｎｎｅｃｔｉｏｎ  ｒｅｌｅａｓｅメッセージ」を送信するように構成されているＲＮ-Ｕｕインターフェイス１２（送信部）と、「ＲＲＣ  ｃｏｎｎｅｃｔｉｏｎ  ｒｅｌｅａｓｅメッセージ」が送信されてから所定時間Ｔ２が経過した後に、リレーノードＲＮを「ＲＲＣ_ＩＤＬＥ状態」に遷移させるように構成されている制御部１３とを具備することを要旨とする。
【００４１】
本実施形態の第２の特徴において、制御部１３は、「ＲＲＣ  ｃｏｎｎｅｃｔｉｏｎ  ｒｅｌｅａｓｅメッセージ」が送信された場合に、所定タイマを起動し、所定タイマが満了した場合に、リレーノードＲＮを「ＲＲＣ_ＩＤＬＥ状態」に遷移させるように構成されていてもよい。
【００４２】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００４３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００４５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４６】
ＲＮ…リレーノード
１１…Ｕｎインターフェイス
１２…ＲＮ-Ｕｕインターフェイス
１３…制御部
【図１】
0005277210.tif 000002
【図２】
0005277210.tif 000003
【図３】
0005277210.tif 000004
【図４】
0005277210.tif 000005